(57)【要約】【課題】連続した一枚板からなるサイドパネルを有するリベットレスバンの特徴を損なうことなく、荷室の高さを自由に設定する。【解決手段】サイドパネル１の上端部を覆うトップレール４の外側面４ａを延長することにより、ルーフレール６をより高い位置に支持することが可能となる。ルーフレール６はルーフパネル８を支持するものであることから、サイドパネル１の高さ自体を変更することなく、すなわち、一定幅のアルミコイルをサイドパネルの長さに合わせて切断した一枚板である、外板２の幅（高さ）を何ら変えることなく、荷室Ｈの高さをより高く設定することが可能となる。【選択図】      図１
2004255924.tif 000002
【特許請求の範囲】
【請求項１】
連続した一枚板からなるサイドパネルを有するバンボディ構造であって、前記サイドパネルの上端部を覆う断面コ字状のトップレールの外側面を延長し、当該トップレールの上面の位置を上昇させ、当該トップレールの上面に固定されるルーフレールの位置を上昇させたことを特徴とするバンボディ構造。
【発明の詳細な説明】
【０００１】
【発明の属する技術分野】
本発明は、連続した一枚板からなるサイドパネルを有するバンボディ（いわゆる「リベットレスバン」）に関するものである。
【０００２】
【従来の技術】
トラックの荷台の一形式であるバンボディは、平ボディと比べ、荷崩れ防止に効果的であり、積荷への気象条件の影響を排除することができ、荷室を密封することで積荷の温度管理も容易となる等、多くのメリットがある。しかしながら、バンボディ自体の重量がトラックの積載重量を減少させるというデメリットもあることから、バンボディの軽量化は必要不可欠である。よって、バンボディには軽量のアルミ板が多用されている。
また、バンボディは、強度と重量とのバランスを考慮するため、上下左右前後６面のパネルで構成され、各面によって構造を支えるいわゆるモノコック構造を採用している。そして、広い面積と高い強度とが要求されるバンボディのサイドパネルは、従来は複数のアルミ製コルゲーションパネルを並べ、それらを複数のリベットで固定して構成するものが一般的であった（例えば、非特許文献１参照。）。
【０００３】
【非特許文献１】
ＧＰ企画センター、特装車とトラック架装、初版、株式会社グランプリ出版、２０００年３月１３日、ｐ２８−２９
【０００４】
【発明が解決しようとする課題】
ところで、従来のバンボディは、その構造上パネル表面に多数の凹凸が生じることから、パネル表面に広告やハウスマーク等のラッピングを施すことが困難であり、かつ、ラッピング後の美観も良好なものとはならなかった。そこで、連続した一枚板でサイドパネルを構成し美観を高めた、いわゆる「リベットレスバン」の開発がなされている。図３には、かかるリベットレスバンの、サイドパネル上端部近傍の構造を断面で示している。
【０００５】
サイドパネル１の外板２は、一定幅のアルミコイルをサイドパネルの長さに合わせて切断した一枚板である。また、外板２は上下に延びるスティフナー３によって補強され、サイドパネル１の上端部は、断面コ字状のトップレール４に覆われる。そして、トップレール４の外側面４ａと、外板２およびスティフナー３とをリベット５によって固定している。なお、サイドパネル１においてリベット５が露出する部分は、かかるサイドパネル端部のみである。トップレール４の上面４ｂには、ルーフレール６がボルト７によって固定される。さらに、ルーフレール６には、ルーフパネル８のスティフナー９（車幅方向に延びる補強部材）、外板１０等が、リベット１１等によって固定される。なお、サイドパネル１およびルーフパネル８の内側表面には、内装パネル１２、１３（ベニヤ板等）が架装される。
【０００６】
しかしながら、かかるリベットレスバンにも以下のような欠点があった。すなわち、リベットレスバンは、サイドパネル１の外板２を連続した一枚板で構成することから、バンボディの高さがアルミコイルの幅によって制約を受けてしまうということになる。一方、高さを稼ぐために複数の外板を並べて構成すると、リベットレスバンの特徴である、連続した一枚板からなるという特徴を失うことから、かかる方法を採ることもできない。よって、従来のリベットレスバンは、顧客の要望に応じ、バンボディの高さと関係する荷室の高さｈを、自由に設定することが困難となっていた。
本発明は上記課題に鑑みてなされたものであり、その目的とするところは、連続した一枚板からなるサイドパネルを有するリベットレスバンの特徴を損なうことなく、荷室の高さを自由に設定することが可能なバンボディ構造を実現することにある。
【０００７】
【課題を解決するための手段】
上記課題を解決するための、本発明の請求項１に係るバンボディ構造は、連続した一枚板からなるサイドパネルを有するバンボディ構造であって、前記サイドパネルの上端部を覆う断面コ字状のトップレールの外側面を延長し、当該トップレールの上面の位置を上昇させ、当該トップレールの上面に固定されるルーフレールの位置を上昇させたことを特徴とするものである。
本発明によれば、前記サイドパネルの上端部を覆うトップレールの外側面を延長して、前記ルーフレールをより高い位置に支持することが可能となる。前記ルーフレールはルーフパネルを支持するものであることから、前記サイドパネルの高さ自体を変更することなく、荷室の高さをより高く設定することが可能となる。
【０００８】
【発明の実施の形態】
以下、本発明の実施の形態を添付図面に基づいて説明する。なお、従来技術と同一部分若しくは相当する部分については、同一符号を付して、説明を省略する。
【０００９】
図１には、本発明の実施の形態に係るバンボディ構造である、リベットレスバンの、サイドパネル上端部近傍の構造を断面で示している。本発明の実施の形態では、サイドパネル１の上端部を覆う断面コ字状のトップレール４の、外側面４ａを上下方向に延長している。一方、サイドパネル１の外板２の高さ、および、外板２とトップレール４の外側面４ａとの重複幅Ｄは、従来（図３）と同じとしている。一方、スティフナー３の高さは、トップレール４の該側面４ａを延長した分だけ、高く（長く）している。そして、トップレール４の上面４ｂの位置を上昇させ、トップレール４の上面４ａに固定されるルーフレール６の位置を、従来（図３）と比較して、上昇させたものである。
【００１０】
本発明の実施の形態によれば、サイドパネル１の上端部を覆うトップレール４の外側面４ａを延長することにより、ルーフレール６をより高い位置に支持することが可能となる。前述の如く、ルーフレール６はルーフパネル８を支持するものであることから、サイドパネル１の高さ自体を変更することなく、すなわち、一定幅のアルミコイルをサイドパネルの長さに合わせて切断した一枚板である、外板２の幅（高さ）を何ら変えることなく、荷室Ｈの高さをより高く設定することが可能となる。
図２には、本発明の実施の形態に係るバンボディを架装したトラック１４を示している。図示の如く、荷室の高さＨは、従来の荷室の高さｈにトップレール４の外側面４ａの延長分αを加えたものとなる。よって、本発明の実施の形態によれば、リベットレスバンの特徴である美観を損なうことなく、トラック１４の全高が法定範囲に納まる範囲内で、荷室の高さを自由に設定することが可能となる。
【００１１】
【発明の効果】
本発明はこのように構成したので、連続した一枚板からなるサイドパネルを有するリベットレスバンの特徴を損なうことなく、荷室の高さを自由に設定することが可能なバンボディ構造を実現することが可能となる。
【図面の簡単な説明】
【図１】本発明の実施の形態に係るリベットレスバンの、サイドパネル上端部近傍の構造を示す断面図である。
【図２】図１に示すバンボディー構造を備える荷台を架装したトラックの、側面図である。
【図３】従来のリベットレスバンの、サイドパネル上端部近傍の構造を示す断面図である。
【符号の説明】
１  サイドパネル
２、１０  外板
３、９  スティフナー
４  トップレール
５、１１  リベット
６  ルーフレール
７  ボルト
８  ルーフパネル
１２、１３  内装パネル
１４  トラック
【図１】
2004255924.tif 000003
【図２】
2004255924.tif 000004
【図３】
2004255924.tif 000005